(57)【要約】【課題】安価な方法でルーバーの故障を検知することを目的とする。【解決手段】循環モータの駆動により循環ファンを回転させて浴室の空気を吸気口から吸気し、該空気を再び浴室内に吹出口から吹出す循環用経路と、換気ファンにより浴室の空気を排気口から屋外へ排気する換気経路とを有し、前記循環用経路内には加熱手段および前記循環流路の温度を検知する温度検出手段を備え、前記吹出口には駆動手段により吹出口を開閉させるルーバーを備え、前記循環ファン、換気ファン、加熱手段およびルーバーを制御する制御装置を備えた浴室空調装置において、前記循環流路の温度を検知する温度検出手段から得られる情報と、前記循環モータへの入力に対応した前記循環流路の圧力損失の情報によって、前記ルーバーの駆動手段の故障を検知する。【選択図】  図１
2004294040.tif 000002
【特許請求の範囲】
【請求項１】
循環モータの駆動により循環ファンを回転させて浴室の空気を吸気口から吸気し、該空気を再び浴室内に吹出口から吹出す循環風路と、換気ファンにより浴室の空気を排気口から屋外へ排気する排気風路と、前記循環風路内に配設した加熱手段および前記循環風路の温度を検知する温度検出手段と、前記吹出口に配設した駆動手段により吹出口を開閉させるルーバーと、前記循環ファン、換気ファン、加熱手段およびルーバーを制御する制御部とを備えた浴室空調装置において、前記制御部は、前記循環モータは回転数一定制御を行うとともに、所定回転数の駆動に対応した入力電圧に基づく前記循環風路の圧力損失を推定し、前記圧力損失と温度検出手段の出力とに応じて、前記ルーバーの駆動手段の故障検知することを特徴とした浴室空調装置。
【請求項２】
前記浴室空調装置の前記温度検出手段は、運転開始時と運転開始から一定時間経過後の温度差を検出することを特徴とする請求項１記載の浴室空調装置。
【請求項３】
前記浴室空調装置の前記循環モータは回転数一定制御運転を行い、あらかじめ記憶しておいた前記循環モータ運転時の前記循環モータ入力電圧と実際に運転している時の前記循環モータ入力電圧の差を検出するこで前記圧力損失の情報を得ることを特徴とする請求項１から請求項２記載の浴室空調装置。
【発明の詳細な説明】
【０００１】
【発明の属する技術分野】
本発明は、主に浴室の天井や天井裏などに設置され、浴室空気を循環するための循環ファンと該環ファンを駆動する循環モータからなる循環用送風機と浴室空気を換気するための換気ファンと換気ファンを駆動する換気モータからなる換気用送風機と浴室空気を再び浴室内へ吐出させるルーバーとルーバーを開閉するための駆動手段と循環ファンとルーバーの間の循環風路と循環風路に設けた加熱手段と循環風路の温度を検知する温度検出手段とを備えた浴室空調装置に関する。
【０００２】
【従来の技術】
従来、この種の浴室空調装置は、ルーバーの故障を検知するために、ルーバー駆動部に位置センサーなどの検知手段を設けていた。運転時にルーバーが故障して所定の位置にルーバーがないことを位置センサーで検知すると、浴室空調装置の運転を停止し浴室空調装置本体が高温になるのを防止していた。（例えば、特許文献１参照。）。
【０００３】
【特許文献１】
特開平８−３１３０３３号公報
【０００４】
【発明が解決しようとする課題】
しかしながら、上記従来のものでは、ルーバーの故障を検知するために、特別にルーバーの位置を検出する位置センサーなどの部品を設置する必要があるため、コストが高くなっていた。
【０００５】
また、またルーバーの位置を検出する位置センサーの付加により部品点数が増えるため、浴室乾燥装置本体の重量が重くなり、天井や壁に取り付けた状態では建築躯体に負荷がかかり、また、重量が重いため施工時の負担になることがあった。
【０００６】
本発明は、上記課題を解決するためになされたもので、本発明の目的は、位置センサーなどの特別な部品を追加することなく安価にルーバーの故障を検知することができ、また、部品点数を減らすことができる浴室空調装置を提供することにある。
【０００７】
【課題を解決するための手段及び作用・効果】
循環モータの駆動により循環ファンを回転させて浴室の空気を吸気口から吸気し、該空気を再び浴室内に吹出口から吹出す循環風路と、換気ファンにより浴室の空気を排気口から屋外へ排気する排気風路と、前記循環風路内に配設した加熱手段および前記循環風路の温度を検知する温度検出手段と、前記吹出口に配設した駆動手段により吹出口を開閉させるルーバーと、前記循環ファン、換気ファン、加熱手段およびルーバーを制御する制御部とを備えた浴室空調装置において、前記制御部は、前記循環モータは回転数一定制御を行うとともに、所定回転数の駆動に対応した入力電圧に基づく前記循環風路の圧力損失を推定し、前記圧力損失と温度検出手段の出力とに応じて、前記ルーバーの駆動手段の故障検知することとした。
【０００８】
これにより、ルーバーの位置を検出する位置センサーなどの特別な部品を用いることなくルーバーの故障を検知できるようになり、ルーバーが故障してルーバーが閉状態のまま暖房運転や乾燥運転が行なわれ製品内部が加熱されることを防止することができる。
【０００９】
さらに、浴室空調装置の温度検出手段は、運転開始時と運転開始から一定時間経過後の温度差を検出することとした。
こうすることによって、外気温度が変化しても一定時間経過後の循環風路内の温度は異なるが、初期温度からの温度差は一定なので循環風路内の温度上昇を正確に素早く把握できるようになる。
【００１０】
さらに、浴室空調装置の循環モータは回転数一定制御運転を行い、あらかじめ記憶しておいた循環モータ運転時の循環モータ入力電圧と実際に運転している時の循環モータ入力電圧の差を検出するこで圧力損失の情報を得ることを特徴としている。
こうすることによって、ルーバーの位置を検出する位置センサーなどの特別な装置を追加することなく循環風路の圧力損失の状態を把握することができるようになる。
【００１１】
【発明の実施の形態】
以下に、本発明の実施の形態を添付図面に基づいて説明する。
【００１２】
図１は、本発明の第１実施形態を示す断面図である。浴室空調装置の本体１には、換気用送風機３が上段と循環用送風機４が下段に配設されている。本体１の浴室１３へ開口した部分は化粧カバー２が取付けられている。
換気用送風機は換気モータ３２によって換気ファン３１を駆動して送風し、吸気口６から吸気された空気は排気風路９を通って排気口５を通って屋外等へ排気される。
循環用送風機は循環モータ４２によって循環ファン４１を駆動して送風し、浴室１３の空気を循環用吸気口４４から吸気し、循環風路４３、ヒータ１４、吹出口４６に配設されたルーバー８を通って再び浴室１３へ戻るようになっている。なお、循環用吸気口４４にはほこり等を吸着させるフィルター４５が取り付いている。
【００１３】
制御部（図示せず）により、ルーバー８は、暖房運転と乾燥運転時にはルーバーを開閉させる駆動手段（図示せず）を駆動させることによりルーバー８は開いた状態となり浴室１３へ風を送るように制御される。また、暖房運転と乾燥運転時以外の換気運転等の場合には、ルーバー８はルーバー駆動手段（図示せず）によって閉じた状態となるように制御される。
また、暖房運転時には、循環用送風機４のみを動作させ、浴室１３の空気を循環吸気口４４から吸気しヒータ１４にて加熱し、循環風路４３、ルーバー８を通って再び浴室１３へ戻し浴室１３を暖房するように制御される。
また、乾燥運転時には、循環用送風機４を動作させ、浴室１３の空気をヒータ１４にて加熱し、循環風路４３、ルーバー８を通って再び浴室１３へ戻し浴室１３の衣類（図示せず）に温風を当て、同時に換気用送風機３も動作させ、浴室１３の湿った空気が排気口５を通じて外へ排気することで乾燥運転ができるようにように制御される。
また、暖房運転と乾燥運転時には、循環風路４３内の温度をサーミスタ７にて測定し、設定温度より高くなるとヒータ１４への入力を減らすなどの制御を行なっている。
また、換気運転時には、換気用送風機３を動作させ、浴室１３の空気を吸気口６から吸気し、排気口５を通じて外へ排気できるように制御している。
【００１４】
図２は、暖房運転と乾燥運転時における循環風路４３内の温度を示している。運転開始からｔ時間経過後の循環風路４３内の温度は正常状態の時はＴ１となる。フィルター４５がほこりなどで詰まり循環風路内が閉塞した状態、ルーバー８が故障して閉になった状態、循環モータ４２が故障して循環ファン４１が回らない状態の各ケースにおいて、循環風路４３内の温度はそれぞれＴ２、Ｔ３、Ｔ４となる。フィルター４５がほこりなどで詰まり循環風路内が閉塞した状態では正常状態と比較して循環風路４３を流れる風量が減るため循環風路４３の温度が上昇しＴ２の状態となる。また、ルーバー８が故障して閉状態となると、循環風路４３の風量が減り、温度がさらに上昇しＴ３となる。あるいは、循環モータ４２が故障して循環ファン４１が回らない状態となると、循環風路４３に風が流れなくなるため、循環風路４３の温度は急激に上がりＴ４となる。
【００１５】
図３は、暖房運転と乾燥運転時における循環モータ入力電圧と循環モータの回転数を示している。
運転時の循環モータ４２の回転数はＮとなるように回転数制御をおこなうため、循環風路４３の圧力損失状態によって循環モータ入力電圧が変化する。運転時の正常状態では循環モータの入力電圧はＶ１の状態となる。フィルター４５がほこりなどで詰まり循環風路内が閉塞した状態およびルーバー８が故障して閉になった状態の循環モータ入力電圧は、それぞれＶ２、Ｖ３となる。
フィルター４５がほこりなどで詰まり循環風路内が閉塞した状態では、正常状態と比較して循環風路４３内の圧力損失が大きくなるため、循環モータ入力電圧が低くなりＶ２となる。
ルーバー８が故障して閉状態となると、さらに循環風路４３の圧力損失が大きくなり、循環モータ入力電圧がさらに低くなりＶ３となる。
【００１６】
図４は、ルーバー故障検知を行なうフロー図である。
まず、暖房運転と乾燥運転開始からｔ時間経過後の循環風路４３内の温度をサーミスタ７で検知する。サーミスタ７を利用し循環風路内の温度を検知することで、特別に部品を追加することなく、ルーバーの故障の可能性があることが検知できるようになる。
検知した温度がＴ１の場合は正常状態であり、検知した温度がＴ２、Ｔ３、Ｔ４の場合はルーバー８が故障している可能性がある。
検知した温度がＴ２、Ｔ３、Ｔ４の場合は、次の段階で、現状の循環モータの入力電圧値を検出して循環風路内の圧力損失の情報を参照する。
検知した入力電圧がＶ１の場合は正常状態であり、Ｖ２、Ｖ３の場合はルーバー８が故障しているか若しくは循環モータが故障している可能性がある。
そのため、循環モータの入力電圧がＶ２、Ｖ３の場合は、次の段階で制御部からルーバー８を閉状態へ移動させる指令を出し、その時の循環モータの入力電圧を調べる。正常であればルーバー開状態から閉状態へ変化するため、ルーバー８を閉状態へ移動させる指令を出す前後で入力電圧が変化するはずである。
Ｖ２、Ｖ３の入力電圧の値に変化がない場合はルーバー８が故障したものと認識することができる。
またこのとき、Ｖ２、Ｖ３が変化して入力電圧が低くなるようであるとフィルター４５がほこり等で詰まり、循環風路が閉塞していると認識することができる。
またこのとき、循環モータ４２を回転させるための入力電圧をかけても循環モータ４２からの回転数情報が一定にならない場合は循環モータが故障したものと認識することができる。
このように、循環モータの入力電圧がＶ２、Ｖ３の場合は、ルーバーを閉状態へ移動させる指令を出し、その時の循環モータの入力電圧を調べＶ２、Ｖ３の値に変化がない場合は、ルーバー故障と断定でき、Ｖ２、Ｖ３が変化して入力電圧が低くなるようであるとフィルターがほこり等で詰まり循環風路が閉塞していると断定できる。
以上のように、既設の温度検出装置および循環モータを用いて、循環風路の温度を検知し、循環モータへの入力に対応した循環風路の圧力損失をみることで、高価なセンサーを用いることなく簡単にルーバーの駆動手段の故障を検知することができる。
【図面の簡単な説明】
【図１】本発明の浴室換気装置の実施例を示す断面図である。
【図２】本発明の循環風路内の温度変化を示すグラフである。
【図３】本発明の循環モータ入力電圧と循環モータ回転数の関係を示すグラフである。
【図４】本発明のルーバー故障検知のフローである。
【符号の説明】
１…本体
２…化粧カバー
３…換気用送風機
３１…換気ファン
３２…換気モータ
４…循環用送風機
４１…循環ファン
４２…循環モータ
４３…循環風路
４４…循環用吸気口
４５…フィルター
４６…吹出口
５…排気口
６…吸気口
７…サーミスタ
８…ルーバー
９…排気風路
１３…浴室
１４…ヒータ
【図１】
2004294040.tif 000003
【図２】
2004294040.tif 000004
【図３】
2004294040.tif 000005
【図４】
2004294040.tif 000006